(57)【要約】【課題】カードを使用する時点までは台紙と一体化されたカード台紙として取り扱いやすく、かつ、カードを台紙から分離して使用可能な状態にすることが容易なカード台紙を提供する。【解決手段】カード台紙１は、カード部１１と、台紙本体部１２と切り離し予定部１２ａ、１２ｂ、１２ｃと、境界脆弱部１５ａ，１５ｂ，１５ｃ，１５ｄと、カード部１１と台紙本体部１２または切り離し予定部１２ａ、１２ｂ、１２ｃとの境界からカード台紙１の端部まで延びて、折り曲げられることによって容易に破断される分離補助脆弱部１６ａ，１６ｂ，１６ｃ，１６ｄとを備える。境界脆弱部１５ａ，１５ｂ，１５ｃ，１５ｄの直線状の辺の延長線上に、境界脆弱部１５ａ，１５ｂ，１５ｃ，１５ｄと分離補助脆弱部１６ａ，１６ｂ，１６ｃ，１６ｄのいずれも形成されていない破断非容易部１７ａ，１７ｂ，１７ｃ，１７ｄ，１７ｅ，１７ｆを備える。【選択図】図１
2014014963.tif 000002
【特許請求の範囲】
【請求項１】
台紙からカードを分離することが可能であるように構成されたカード台紙であって、
台紙から分離されてカードして使用されるためのカード部と、
前記台紙から前記カード部が分離されたときにカードとして使用されずに残る残部と、
前記カード部と前記残部との境界を形成し、折り曲げられることによって容易に破断される境界脆弱部と、
前記カード部と前記残部との境界から前記台紙の端部まで延びて、折り曲げられることによって容易に破断される分離補助脆弱部とを備え、
前記境界脆弱部は直線状の辺を含み、
さらに、前記境界脆弱部の直線状の辺の延長線上に、前記境界脆弱部と前記分離補助脆弱部のいずれも形成されていない破断非容易部を備える、カード台紙。
【請求項２】
前記境界脆弱部と前記分離補助脆弱部とは、ミシン目によって形成されている、請求項１に記載のカード台紙。
【請求項３】
前記残部は、前記カード部の全周に亘って形成されている、請求項１または請求項２のいずれか１項に記載のカード台紙。
【発明の詳細な説明】
【技術分野】
【０００１】
本発明は、一般的にはカード台紙に関し、特定的には、台紙からカードを分離することが可能であるように構成されたカード台紙に関する。
【背景技術】
【０００２】
従来、カードには、一枚の台紙から特定の部分だけを切り離してカードとして使用するものや、一枚の台紙を複数の部分に切り分けて、別々の用途に使用したりするためのものがある。
【０００３】
例えば、特開平６−２２７１９３号公報（特許文献１）には、施設利用カードと保険の加入カードとがミシン目状の切離し線を介して一体に形成されたスポーツ施設利用カードが記載されている。施設利用カードの券面には、スポーツ施設名やカード提供者などの共通表示と、券種、価格、発行日などの識別情報が印刷されている。保険の加入カードの券面には、氏名や住所などの加入者を特定する記入欄が設けられている。保険の加入カードを施設利用カードと一体に形成するので、一枚のカードの状態で両カードを発行でき、カードの発券操作を軽減し、カード発行に要する時間を短縮できる。
【０００４】
また、特開平１０−２１７６４３号公報（特許文献２）には、シート状でかつ長方形の記録媒体に、画像形成する側の使用部分と画像形成せずに切除する切除部分とに容易に分離することができるように、易破断手段が設けられた画像記録装置用記録媒体が記載されている。易破断手段は、例えば、連続する線状または点線状の切り込み（ミシン目）として形成されている。
【０００５】
特開２００７−１５２７５７号公報（特許文献３）には、アンケート用紙などの記入用紙の一部に、情報隠蔽部が配置され、情報隠蔽部の周囲の三方向には切り取り用ミシンが形成され、情報隠蔽部の一辺は用紙の端部によって形成されている記入用紙が記載されている。
【先行技術文献】
【特許文献】
【０００６】
【特許文献１】特開平６−２２７１９３号公報
【特許文献２】特開平１０−２１７６４３号公報
【特許文献３】特開２００７−１５２７５７号公報
【発明の概要】
【発明が解決しようとする課題】
【０００７】
しかしながら、特許文献１に記載のスポーツ施設利用カードでは、施設利用カードと保険の加入カードとの間のミシン目状の切り離し線が、カードの左右の端部から端部まで直線状に形成されている。そのため、販売者や利用者が意図しない時に、切り離し線においてカードが折れ曲がり、切り離し線が破断されて、施設利用カードと保険の加入カードとが分離してしまう場合がある。
【０００８】
特許文献２に記載の画像記録装置用記録媒体においても同様に、易破断手段はミシン目によって、記録媒体の一方の端部か他方の端部まで直線状に形成されている。そのため、販売者や使用者が意図しない時に、易破断手段において記録媒体が折れ曲げられ、易破断手段が破断されて、使用部分と切除部分とが分離されてしまう可能性がある。
【０００９】
一方、特許文献３に記載の記入用紙では、三方向の直線状の切り取り用ミシンは、いずれも、記入用紙の一方の端部から他方の端部まで直線状に延びているものではない。そのため、使用者が意図しない時に、切り取り用ミシンにおいて記入用紙が折り曲げられて、切り取り用ミシンが破断されてしまう可能性は、比較的小さいと考えられる。しかしながら、特許文献３に記載の記入用紙では、使用者が切り取り用ミシンにおいて記入用紙を折り曲げて切り取り用ミシンを破断させたい時に、切り取り用ミシン以外の部分を意図せずに折り曲げてしまい、記入用紙を破損してしまう可能性がある。
【００１０】
そこで、この発明の目的は、カードを使用する時点までは台紙と一体化されたカード台紙として取り扱いやすく、かつ、カードを台紙から分離して使用可能な状態にすることが容易なカード台紙を提供することである。
【課題を解決するための手段】
【００１１】
この発明に従ったカード台紙は、台紙からカードを分離することが可能であるように構成されたカード台紙であって、台紙から分離されてカードして使用されるためのカード部と、台紙からカード部が分離されたときにカードして使用されずに残る残部と、カード部と残部との境界を形成し、折り曲げられることによって容易に破断される境界脆弱部と、カード部と残部との境界から台紙の端部まで延びて、折り曲げられることによって容易に破断される分離補助脆弱部とを備える。境界脆弱部は直線状の辺を含む。カード台紙は、さらに、境界脆弱部の直線状の辺の延長線上に、境界脆弱部と分離補助脆弱部のいずれも形成されていない破断非容易部を備える。
【００１２】
この発明に従ったカード台紙においては、境界脆弱部と分離補助脆弱部とは、ミシン目によって形成されていることが好ましい。
【００１３】
この発明に従ったカード台紙においては、残部は、カード部の全周に亘って形成されていることが好ましい。
【発明の効果】
【００１４】
以上のように、この発明によれば、カードを使用する時点までは台紙と一体化されたカードとして取り扱いやすく、かつ、カードを台紙から分離して使用可能な状態にすることが容易なカード台紙を提供することができる。
【図面の簡単な説明】
【００１５】
【図１】本発明の第１実施形態のカード台紙の全体を示す図である。
【図２】第１実施形態のカード台紙の第１の別の例を示す図である。
【図３】第１実施形態のカード台紙の第２の別の例を示す図である。
【図４】第１実施形態のカード台紙の第３の別の例を示す図である。
【図５】第１実施形態のカード台紙の第４の別の例を示す図である。
【図６】第１実施形態のカード台紙の第５の別の例を示す図である。
【図７】第１実施形態のカード台紙の第６の別の例を示す図である。
【図８】本発明の第２実施形態のカード台紙の全体を示す図である。
【図９】本発明の第３実施形態のカード台紙の全体を示す図である。
【図１０】本発明の第４実施形態のカード台紙の全体を示す図である。
【図１１】本発明の第５実施形態のカード台紙の全体を示す図である。
【図１２】本発明の第６実施形態のカード台紙の全体を示す図である。
【図１３】本発明の第７実施形態のカード台紙の全体を示す図である。
【図１４】本発明の第８実施形態のカード台紙の全体を示す図である。
【発明を実施するための形態】
【００１６】
以下、この発明の実施の形態を図面に基づいて説明する。以下の説明において、図の上側をカード台紙の上側、図の下側をカード台紙の下側、図の左右側をカード台紙の左右側とする。
【００１７】
（第１実施形態）
図１に示すように、この発明の第１実施形態のカード台紙１は、カード部１１と、台紙本体部１２と、展示用部１３と、切り離し予定部１２ａ，１２ｂ，１２ｃとを備え、全体として略長方形状に形成されている。図１において、カード台紙１の上端に展示用部１３が配置され、カード台紙１１の中央部に台紙本体部１２が配置され、カード台紙１１の下部にカード部１１と切り離し予定部１２ａ，１２ｂ，１２ｃが配置されている。カード部１１には、例えば、プリペイドカードとして使用されるために必要なバーコードや識別番号等の情報が記載されている。
【００１８】
カード部１１は、カード台紙１からくり抜かれてカードとして使用される予定の領域の周縁にミシン目が入れられることによって形成されており、このミシン目が境界脆弱部１５ａ，１５ｂ，１５ｃ，１５ｄである。この実施形態においては、カード部１１は角部がまるい略長方形状に形成されている。境界脆弱部１５ａ，１５ｂ，１５ｃ，１５ｄは、長方形の各辺として、それぞれ、カード部１１の下側の辺、左側の辺、右側の辺、上側の辺として形成されており、それぞれ、直線状の辺を含む。境界脆弱部１５ａ，１５ｂ，１５ｃ，１５ｄどうしが連結される部分は、曲線状に形成されている。境界脆弱部１５ａ，１５ｄの直線状の部分はカード台紙１の下端の辺と平行に形成され、境界脆弱部１５ｂ，１５ｃの直線状の部分はカード台紙１の左右の辺と平行に形成されている。
【００１９】
台紙本体部１２と展示用部１３との境界にもミシン目が形成されている。展示用部１３には、展示用部１３の表裏面を貫通する孔が展示用孔１４として形成されている。
【００２０】
カード部１１の周縁の境界脆弱部１５ａ，１５ｂ，１５ｃからカード台紙１の周縁の端部までは、複数のミシン目が延びており、このミシン目が分離補助脆弱部１６ａ，１６ｂ，１６ｃ，１６ｄを形成している。
【００２１】
長方形状のカード部１１の下側の辺を形成する境界脆弱部１５ａの両端からカード台紙１の外周端部までは、左右にそれぞれ直線状の分離補助脆弱部１６ａ，１６ｂが延びている。分離補助脆弱部１６ａと境界脆弱部１５ａと分離補助脆弱部１６ｂとは、一直線状に連結されている。カード台紙１において、分離補助脆弱部１６ａと境界脆弱部１５ａと分離補助脆弱部１６ｂよりも下方は切り離し予定部１２ａである。
【００２２】
カード部１１の左側の辺を形成する境界脆弱部１５ｂの上端からカード台紙１の外周端部までの間には、境界脆弱部１５ｂの上端からさらに上方に延びる辺と、その辺の上端から左方にカード台紙１の外周端部まで延びる辺とを含む、折れ曲がった線状の分離補助脆弱部１６ｃが形成されている。カード部１１の右辺を形成する境界脆弱部１５ｃの上端からカード台紙１の外周端部までの間にも、同様に、境界脆弱部１５ｃの上端からさらに上方に延びる辺と、その辺の上端から右方にカード台紙１の外周端部まで延びる辺とを含む、折れ曲がった線状の分離補助脆弱部１６ｄが形成されている。
【００２３】
展示用部１３の下端のミシン目と、分離補助脆弱部１６ｃと境界脆弱部１５ｄと分離補助脆弱部１６と、カード台紙１の外周端部とによって囲まれる領域は台紙本体部１２である。分離補助脆弱部１６ｃと境界脆弱部１５ｂと分離補助脆弱部１６ａとカード台紙１の左側の端部とによって囲まれる領域は切り離し予定部１２ｂである。分離補助脆弱部１６ｄと境界脆弱部１５ｃと分離補助脆弱部１６ｂとカード台紙１の右側の端部とによって囲まれる領域は切り離し予定部１２ｃである。
【００２４】
境界脆弱部１５ｂの直線状の部分の延長線上において、カード台紙１の下部には、ミシン目の形成されていない破断非容易部１７ａが配置され、境界脆弱部１５ｃの直線状の辺の延長線上において、カード台紙１の下部には、ミシン目の形成されていない破断非容易部１７ｂが配置されている。境界脆弱部１５ｄの直線状の部分の延長線上において、カード台紙１の左右端部には、それぞれ、ミシン目の形成されていない破断非容易部１７ｃ、１７ｄが配置されている。境界脆弱部１５ｂの直線状の部分の延長線上において、カード台紙１の上部には、ミシン目の形成されていない破断非容易部１７ｅが配置され、境界脆弱部１５ｃの直線状の辺の延長線上において、カード台紙１の上部には、ミシン目の形成されていない破断非容易部１７ｆが配置されている。
【００２５】
以上のように構成されるカード台紙１の使用方法について説明する。
【００２６】
カード台紙１の販売時には、展示用孔１４を、例えば展示棚の突起に掛けて、カード台紙１を展示することができる。カード部１１をカードして使用する時には、例えば次のようにしてカード台紙１からカード部１１を分離する。
【００２７】
使用者は、まず、分離補助脆弱部１６ａと境界脆弱部１５ａと分離補助脆弱部１６ｂのミシン目でカード台紙１を折り曲げて、分離補助脆弱部１６ａと境界脆弱部１５ａと分離補助脆弱部１６ｂを破断させ、カード台紙１から切り離し予定部１２ａを分離する。分離補助脆弱部１６ａと境界脆弱部１５ａと分離補助脆弱部１６ｂは一直線状に連結して配置されているので、使用者は容易に折り曲げて破断させることができる。
【００２８】
次に、境界脆弱部１５ｂのミシン目でカード台紙１を折り曲げ、境界脆弱部１５ｂを破断させ、続けて、折れ曲がった線状の分離補助脆弱部１６ｃのミシン目でカード台紙１を折り曲げ、分離補助脆弱部１６ｃを破断させる。このようにすることにより、切り離し予定部１２ｂがカード台紙１から分離される。同様に、境界脆弱部１５ｃのミシン目でカード台紙１を折り曲げ、境界脆弱部１５ｃを破断させ、続けて、折れ曲がった線状の分離補助脆弱部１６ｄのミシン目でカード台紙１を折り曲げ、分離補助脆弱部１６ｄを破断させて、切り離し予定部１２ｃがカード台紙１から分離される。最後に、境界脆弱部１５ｄのミシン目でカード台紙１を折り曲げて、境界脆弱部１５ｄを破断させて、カード部１１をカード台紙１から分離する。
【００２９】
境界脆弱部１５ａ，１５ｂの直線状の部分の延長線上には、非破断容易部１７ａ，１７ｂ，１７ｅ，１７ｆが配置されているので、使用者が意図しないときに境界脆弱部１５ａ，１５ｂが折り曲げられて破断することを防ぐことができる。また、境界脆弱部１５ｄの直線状の部分の延長線上には非破断容易部１７ｃ，１７ｄが配置されているので、使用者が意図しないときに境界脆弱部１５ｄが折り曲げられて破断することを防ぐことができる。
【００３０】
一方、カード部１１の周縁からカード台紙１の外周端部まで、分離補助脆弱部１６ａ，１６ｂ，１６ｃ，１６ｄが延びているので、使用者は、境界脆弱部１５ａ，１５ｂ，１５ｃ，１５ｄにおいてカード台紙１を折り曲げるよりも前に、まず分離補助脆弱部１６ａ，１６ｂ，１６ｃ，１６ｄのいずれかにおいてカード台紙１を折り曲げて破断させ、境界脆弱部１５ａ，１５ｂ，１５ｃ，１５ｄを折り曲げたり破断させたりしやすくできる。
【００３１】
なお、展示用部１３と台紙本体部１２との境界のミシン目でカード台紙１を折り曲げることによって、台紙本体部１２から展示用部１３を分離してもよい。
【００３２】
また、この実施の形態においては、略長方形状のカード部１１の上下左右の４つの辺は、それぞれ、カード台紙１の外周縁部の上下左右の４つの辺と平行であるが、カード部１１の辺がカード台紙１の端部と角度を有するように配置されていてもよい。また、カード部１１とカード台紙１は略長方形ではなく、他の形状であってもよい。
【００３３】
以上のように、カード台紙１は、台紙からカードを分離することが可能であるように構成されたカード台紙であって、台紙本体部１２から分離されてカードして使用されるためのカード部１１と、台紙本体部１２からカード部１１が分離されたときに残る残部として台紙本体部１２と切り離し予定部１２ａ、１２ｂ、１２ｃと、カード部１１と台紙本体部１２または切り離し予定部１２ａ、１２ｂ、１２ｃとの境界を形成し、折り曲げられることによって容易に破断される境界脆弱部１５ａ，１５ｂ，１５ｃ，１５ｄと、カード部１１と台紙本体部１２または切り離し予定部１２ａ、１２ｂ、１２ｃとの境界からカード台紙１の端部まで延びて、折り曲げられることによって容易に破断される分離補助脆弱部１６ａ，１６ｂ，１６ｃ，１６ｄとを備える。境界脆弱部１５ａ，１５ｂ，１５ｃ，１５ｄは直線状の辺を含む。カード台紙１は、さらに、境界脆弱部１５ａ，１５ｂ，１５ｃ，１５ｄの直線状の辺の延長線上に、境界脆弱部１５ａ，１５ｂ，１５ｃ，１５ｄと分離補助脆弱部１６ａ，１６ｂ，１６ｃ，１６ｄのいずれも形成されていない破断非容易部１７ａ，１７ｂ，１７ｃ，１７ｄ，１７ｅ，１７ｆを備える。
【００３４】
このようにすることにより、カード部１１をカードとして使用する時点までは台紙本体部１２と一体化されたカード台紙１として取り扱いやすく、かつ、カード部１１を台紙本体部１２から分離して使用可能な状態にすることが容易なカード台紙１を提供することができる。
【００３５】
また、カード台紙１においては、境界脆弱部１５ａ，１５ｂ，１５ｃ，１５ｄと分離補助脆弱部１６ａ，１６ｂ，１６ｃ，１６ｄとは、ミシン目によって形成されている。このようにすることにより、脆弱部を容易に形成することができる。なお、脆弱部はカード台紙１の表裏面を貫通する点線状の孔や細かい破線状の孔のミシン目の他、カード台紙を折り曲げることによって容易に破断される構成であれば他の形態であってもよい。
【００３６】
また、カード台紙１においては、台紙本体部１２と切り離し予定部１２ａ、１２ｂ、１２ｃとは、カード部１１の全周に亘って形成されている。
【００３７】
このようにすることにより、カード部１１をカード台紙１から分離してカードとして使用する時まで、カード部１１の外周部が汚れたり、カード部１１が破損したりすることを防ぐことができる。
【００３８】
なお、カード台紙１の各部の折り曲げの順序は、上述の説明の他、使用者が任意に決めればよい。
【００３９】
次に、第１実施形態のカード台紙１の別の例を以下に説明する。以下の説明では、同じ符号によって示される構成については説明を省略する。
【００４０】
図２に示すように、カード台紙１ａがカード台紙１と異なる点としては、カード部１１の周縁部には、ミシン目だけでなく、予め切断された切り込み（切断部）１５ｅが形成されている。切り込み１５ｅは、略長方形状のカード部１１の四隅のまるい角部に形成されている。このように、曲線部分をミシン目ではなく切り込みにすることにより、境界脆弱部１５ａ，１５ｂ，１５ｃ，１５ｄにおいてカード台紙１ａを折り曲げることが容易になり、カード部１１をカード台紙１ａから分離するときに破損することを防ぐことが容易になる。カード台紙１ａのその他の構成と効果はカード台紙１と同様である。
【００４１】
図３に示すように、カード台紙１ｂがカード台紙１と異なる点としては、カード部１１の周縁部には、ミシン目だけでなく、四隅の切り込み（切断部）が形成され、さらに、カード部１１の左側の辺１５ｆと右側の辺１５ｇは、ミシン目ではなく、予め切断された切り込み（切断部）によって形成されている。このように、曲線部分をミシン目ではなく切り込みにすることにより、境界脆弱部１５ａ，１５ｂ，１５ｃ，１５ｄにおいてカード台紙１ｂを折り曲げることが容易になり、カード部１１をカード台紙１ｂから分離するときに破損することを防ぐことが容易になる。さらに、辺１５ｆ，１５ｇを切り込みにすることにより、カード部１１をカード台紙１ｂから分離することがより容易になる。使用者は、カード部１１をカード台紙１ｂから分離する時には、切り離し予定部１２ａを分離した後、カード部１１と、切り離し予定部１２ｂまたは切り離し予定部１２ｃとの間でカード台紙１ｂを折り曲げる必要がなくなる。カード台紙１ｂのその他の構成と効果はカード台紙１と同様である。
【００４２】
図４に示すように、カード台紙１ｃはカード台紙１ｂのカード部１１の左右の辺の切り込みを変形させたものである。略長方形状のカード部１１の左側の辺を形成する境界脆弱部１５ｈと右側の辺を形成する境界脆弱部１５ｉは、ミシン目ではなく、予め切断された切り込み（切断部）と、カード部１１と切り離し予定部１２ｂ，１２ｃとを連結する部分との繰り返しによって形成されている。このように、境界脆弱部１５ｈと境界脆弱部１５ｉとを予め完全に切断するのではなく、カード部１１と切り離し予定部１２ｂ，１２ｃとが連結された部分を残すことによって、カード部１１をカード台紙１ｃから分離する前にカード部１１の周縁部が破損することを防ぐことができる。カード台紙１ｃのその他の構成と効果はカード台紙１ｂと同様である。
【００４３】
図５に示すように、カード台紙１ｄがカード台紙１と異なる点としては、カード部１１の周縁部には、ミシン目だけでなく、四隅の切り込み（切断部）が形成され、さらに、カード部１１の下側の辺１５ｊと上側の辺１５ｋは、ミシン目ではなく、予め切断された切り込み（切断部）によって形成されている。このように、曲線部分をミシン目ではなく切り込みにすることにより、境界脆弱部１５ａ，１５ｂ，１５ｃ，１５ｄにおいてカード台紙１ｄを折り曲げることが容易になり、カード部１１をカード台紙１ｄから分離するときに破損することを防ぐことが容易になる。さらに、辺１５ｊ，１５ｋを切り込みにすることにより、カード部１１をカード台紙１ｄから分離することがより容易になる。使用者は、カード部１１をカード台紙１ｄから分離する時には、切り離し予定部１２ａ，１２ｂ，１２ｃを分離した後、カード部１１と台紙本体部１２との間でカード台紙１ｄを折り曲げる必要がなくなる。カード台紙１ｄのその他の構成と効果はカード台紙１と同様である。
【００４４】
図６に示すように、カード台紙１ｅはカード台紙１ｄのカード部１１の上下の辺の切り込みを変形させたものである。略長方形状のカード部１１の下側の辺を形成する境界脆弱部１５ｍと上側の辺を形成する境界脆弱部１５ｎには、予め切断された切り込み（切断部）が部分的に形成されている。このように、カード部１１の下側の辺を形成する境界脆弱部１５ｍと上側の辺を形成する境界脆弱部１５ｎとを完全に予め切断するのではなく、カード部１１と、切り離し予定部１２ａまたは台紙本体部１２とが連結された部分を残すことによって、カード部１１の周縁部が破損することを防ぐことができる。カード台紙１ｅのその他の構成と効果はカード台紙１ｄと同様である。
【００４５】
図７に示すように、カード台紙１ｆがカード台紙１と異なる点としては、カード部１１の周縁部には、ミシン目と、予め切断された切り込み（切断部）の両方が形成されている。カード部１１の下側の辺を形成する境界脆弱部１５ｐ、左側の辺を形成する境界脆弱部１５ｑ、右側の辺を形成する境界脆弱部１５ｒ、上側の辺を形成する境界脆弱部１５ｓのそれぞれにおいて、中央部には、ミシン目ではなく切り込みが形成されている。カード部１１の周縁部には、切り込みが形成されている部分以外では、ミシン目が形成されている。このようにすることにより、カード台紙１を境界脆弱部１５ｐ，１５ｑ，１５ｒ，１５ｓで折り曲げて破断させることが容易になる。カード台紙１ｆのその他の構成と効果はカード台紙１と同様である。
【００４６】
（第２実施形態）
図８に示すように、第２実施形態のカード台紙２がカード台紙１と異なる点としては、カード部１１の周縁部には、ミシン目だけでなく、切り込み（切断部）１５ｅが形成されている。切り込み１５ｅは、略長方形状のカード部１１の四隅のまるい角部に形成されている。このように、曲線部分をミシン目ではなく切り込みにすることにより、境界脆弱部１５ｂ，１５ｃ，１５ｄにおいてカード台紙２を折り曲げることが容易になり、カード部１１をカード台紙２から分離するときに破損することを防ぐことが容易になる。
【００４７】
また、カード台紙２においては、切り込み１５ｅからカード台紙２の外周端部まで、直線状のミシン目によって形成された分離補助脆弱部２６ａ，２６ｂ，２６ｃ，２６ｄが形成されている。
【００４８】
分離補助脆弱部２６ａは、カード部１１の左下のまるい角部からカード台紙２の左下のまるい角部まで延びているミシン目である。分離補助脆弱部２６ｂは、カード部１１の右下のまるい角部からカード台紙２の右下のまるい角部まで延びているミシン目である。分離補助脆弱部２６ｃは、カード部１１の左上のまるい角部からカード台紙２の左側の端部まで延びているミシン目である。分離補助脆弱部２６ｄは、カード部１１の右上のまるい角部からカード台紙２の右側の端部まで延びているミシン目である。
【００４９】
分離補助脆弱部２６ａと境界脆弱部１５ａと分離補助脆弱部２６ｂは、一直線上に並ぶように配置されておらず、分離補助脆弱部２６ａ，２６ｂはそれぞれ、境界脆弱部１５ａと角度をなすように交わっている。また、分離補助脆弱部２６ｃ，２６ｄは、境界脆弱部１５ｂ，１５ｃ，１５ｄのいずれとも、角度をなすように形成されている。そのため、カード台紙２の分離補助脆弱部２６ａ，２６ｂ，２６ｃ，２６ｄは、第１実施形態の分離時補助脆弱部１６ａ，１６ｂ，１６ｃ，１６ｄ（図１）よりも折り曲げにくく、破断しにくい。このようにすることにより、使用者がカード部１１をカード台紙２から切り離すことを意図していないときに、切り離し予定部１２ａ，１２ｂ，１２ｃがカード台紙２から分離されてしまうことをよりよく防ぐことができる。
【００５０】
カード台紙２のその他の構成と効果はカード台紙１と同様である。
【００５１】
（第３実施形態）
図９に示すように、第３実施形態のカード台紙３は、第１実施形態のカード台紙１ｂとは分離補助脆弱部の配置が異なる。カード台紙３においては、分離補助脆弱部３６ａはカード部１１の左側の辺１５ｆに平行に、境界脆弱部１５ａのミシン目の部分の左側端部からカード台紙３の下端まで延びるように形成されているミシン目である。分離補助脆弱部３６ｂはカード部１１の右側の辺１５ｇに平行に、境界脆弱部１５ａのミシン目の部分の右側端部からカード台紙３の下端まで延びるように形成されているミシン目である。分離補助脆弱部３６ａ，３６ｂは、辺１５ｆ，１５ｇの延長線上には配置されていない。また、分離補助脆弱部３６ｃは、境界脆弱部１５ｄのミシン目の部分の左端部から上方に向かって延びる直線状の辺と、その辺の上端からカード台紙３の左端に向かって延びる辺とを含む。分離補助脆弱部３６ｄは、境界脆弱部１５ｄのミシン目の部分の右端部から上方に向かって延びる直線状の辺と、その辺の上端からカード台紙３の右端に向かって延びる辺とを含む。分離補助脆弱部３６ｃ，３６ｄにおいて上下方向に沿って延びる辺は、辺１５ｆ，１５ｇの延長線上に形成されていない。
【００５２】
このようにすることにより、カード台紙３を境界脆弱部１５ａ，１５ｄと分離補助脆弱部３６ａ，３６ｂ，３６ｃ，３６ｄで折り曲げにくくすることができる。
【００５３】
カード台紙３のその他の構成と効果はカード台紙１ｂと同様である。
【００５４】
（第４実施形態）
図１０に示すように、第４実施形態のカード台紙４は、第１実施形態のカード台紙１ｄとは分離補助脆弱部の配置が異なる。カード台紙４においては、カード部１１の周縁部を形成する境界脆弱部１５ｊ，１５ｋ，１５ｂ，１５ｃはカード台紙１ｄと同様である。カード台紙４の分離補助脆弱部４６ａ，４６ｂ，４６ｃ，４６ｄは、いずれも、カード部１１の下側の辺を形成する境界脆弱部１５ｊと上側の辺を形成する境界脆弱部１５ｋとカード台紙４の下端の辺とに平行に延びるように形成されているミシン目である。分離補助脆弱部４６ａは、境界脆弱部１５ｂのミシン目部分の下端から左方向に、カード台紙４の左側の端部まで延びている。分離補助脆弱部４６ｂは、境界脆弱部１５ｃのミシン目部分の下端から右方向に、カード台紙４の右側の端部まで延びている。分離補助脆弱部４６ｃは、境界脆弱部１５ｂのミシン目部分の上端から左方向に、カード台紙４の左側の端部まで延びている。分離補助脆弱部４６ｄは、境界脆弱部１５ｃのミシン目部分の上端から右方向に、カード台紙４の右側の端部まで延びている。
【００５５】
カード部１１の周縁部を形成する下側の辺１５ｊの直線状の部分の延長上には破断非容易部１７ｇ，１７ｈが配置され、上側の辺１５ｋの直線状の部分の延長上には破断非容易部１７ｃ，１７ｄが配置され、境界脆弱部１５ｂの直線状の部分の延長上には破断非容易部１７ａ，１７ｅが配置され、境界脆弱部１５ｃの直線状の部分の延長上には破断非容易部１７ｂ，１７ｆが配置されている。
【００５６】
使用者がカード部１１をカード台紙４から分離する時には、まず、分離補助脆弱部４６ａ，４６ｂにおいてカード台紙４を折り曲げて分離補助脆弱部４６ａ，４６ｂを破断させて切り離し予定部１２ａをカード台紙４から分離させる。分離補助脆弱部４６ａ，４６ｂとカード部１１の下端の辺１５ｊとは一直線上に配置されていないが、辺１５ｊはミシン目ではなく予め切断された切り込みであるから、使用者は分離補助脆弱部４６ａ，４６ｂを折り曲げる時にカード部１１まで折り曲げてしまうことはない。
【００５７】
次に、使用者は境界脆弱部１５ｂにおいてカード台紙４を折り曲げて境界脆弱部１５ｂを破断させ、続けて、分離補助脆弱部４６ｃにおいてカード台紙４を折り曲げて分離補助脆弱部４５ｃを破断させ、切り離し予定部１２ｂをカード台紙４から分離する。同様に、境界脆弱部１５ｃにおいてカード台紙４を折り曲げて境界脆弱部１５ｃを破断させ、続けて、分離補助脆弱部４６ｄにおいてカード台紙４を折り曲げて分離補助脆弱部４５ｄを破断させ、切り離し予定部１２ｃをカード台紙４から分離する。カード部１１の上側の辺１５ｋは、ミシン目ではなく予め切断された切り込みなので、使用者はカード部１１の上側の辺においてカード台紙４を折り曲げることなく、カード部１１をカード台紙４から分離することができる。
【００５８】
カード台紙４のその他の構成と効果はカード台紙１ｄと同様である。
【００５９】
（第５実施形態）
図１１に示すように、第５実施形態のカード台紙５は、第１実施形態のカード台紙１とは台紙の形状と分離補助脆弱部の配置が異なる。
【００６０】
カード台紙５の台紙本体部５２には、右側端部においてカード部１１の上側の辺を構成する境界脆弱部１５ｄよりも上方に切り欠き５８が形成されている。分離補助脆弱部５６ａは、カード部１１の右側の辺を形成する境界脆弱部１５ｃの直線状の部分の上側の端部から切り欠き５８まで、境界脆弱部１５ｃの直線部分の延長線上に延びており、分離補助脆弱部５６ｂは、カード部１１の下側の辺を形成する境界脆弱部１５ａの左側の端部からカード台紙５の左側の端部まで、境界脆弱部１５ａの直線部分の延長線上に延びている。カード台紙５の右側の端部と下側の端部と、分離補助脆弱部５６ａと、境界脆弱部１５ｃ，１５ａと、分離補助脆弱部５６ｂとによって囲まれる部分は、切り離し予定部５２ａである。台紙本体部５２と切り離し予定部５２は残部の一例である。残部はカード部１１の全周に亘って形成されている。
【００６１】
カード部１１の周縁部を形成する下側の境界脆弱部１５ａの直線状の部分の延長上には破断非容易部１７ｈが配置され、上側の境界脆弱部１５ｄの直線状の部分の延長上には破断非容易部１７ｃ，１７ｄが配置され、境界脆弱部１５ｂの直線状の部分の延長上には破断非容易部１７ａ，１７ｅが配置され、境界脆弱部１５ｃの直線状の部分の延長上には破断非容易部１７ｂ，１７ｆが配置されている。
【００６２】
使用者がカード部１１をカード台紙５から分離する時には、まず、切り欠き５８に指を入れて、分離補助脆弱部５６ａと境界脆弱部１５ｃにおいてカード台紙５を折り曲げ、分離補助脆弱部５６ａと境界脆弱部１５ｃを破断させる。続けて、境界脆弱部１５ａと分離補助脆弱部５６ｂにおいてカード台紙５を折り曲げ、境界脆弱部１５ａと分離補助脆弱部５６ｂを破断させ、切り離し予定部５２をカード台紙５２から分離する。次に、境界脆弱部１５ｂ，１５ｄにおいてカード台紙５を折り曲げて境界脆弱部１５ｂ，１５ｄをひとつずつ破断させて、カード部１１を台紙本体部５２から分離する。
【００６３】
カード台紙５のその他の構成と効果はカード台紙１と同様である。
【００６４】
（第６実施形態）
図１２に示すように、第６実施形態のカード台紙６は、第１実施形態のカード台紙１とは台紙の形状と分離補助脆弱部の配置が異なる。
【００６５】
カード台紙６の台紙本体部６２には、右下端部に切り欠き６８が形成されている。カード部１１の左側の辺と下側の辺は、カード台紙６の左側の端部と下側の端部を形成している。カード部１１の周縁部のうち、右側の辺は境界脆弱部１５ｃのミシン目によって形成され、上側の辺は境界脆弱部１５ｄのミシン目によって形成されている。境界脆弱部１５ｃ，１５ｄの接続部分である、カード部１１の右上のまるい角部には、予め切断された切り込み（切断部）１５ｅが形成されている。境界脆弱部１５ｃのミシン目の部分の上端から上方向に分離補助脆弱部６６の辺のうち上下方向に延びる辺がミシン目によって形成され、この辺の上端から右側に向かって、カード台紙６の右端まで分離補助脆弱部６６の辺のうち左右方向に延びる辺がミシン目によって形成されている。カード台紙６の右側の端部と下側の端部と、分離補助脆弱部６６と、境界脆弱部１５ｃとによって囲まれる部分は、切り離し予定部６２ａである。台紙本体部６２と切り離し予定部６２ａは残部の一例である。
【００６６】
カード部１１の周縁部を形成する上側の境界脆弱部１５ｄの直線状の部分の延長上には破断非容易部１７ｄが配置され、境界脆弱部１５ｃの直線状の部分の延長上には破断非容易部１７ｆが配置されている。
【００６７】
使用者がカード部１１をカード台紙６から分離する時には、まず、切り欠き６８の周縁部に指を当てて、境界脆弱部１５ｃと分離補助脆弱部６６においてカード台紙６を折り曲げ、境界脆弱部１５ｃと分離補助脆弱部６６を破断させる。分離補助脆弱部６６は、少なくとも境界脆弱部１５ｃの直線状の部分の延長線上に延びる部分が破断されればよい。続けて、境界脆弱部１５ｄにおいてカード台紙５を折り曲げて境界脆弱部１５ｄを破断させて、カード部１１を台紙本体部６２から分離する。切り離し予定部６２ａは、台紙本体部６２から分離されてもよいし、分離されなくてもよい。
【００６８】
カード台紙６のその他の構成と効果はカード台紙１と同様である。
【００６９】
（第７実施形態）
図１３に示すように、第７実施形態のカード台紙７は、第５実施形態のカード台紙５とは、主にカード部１１の配置が異なる。
【００７０】
カード台紙７の台紙本体部５２には、右側端部においてカード部１１の上側の辺を構成する境界脆弱部１５ｄよりも上方に切り欠き７８が形成されている。分離補助脆弱部７６は、カード部１１の右側の辺を形成する境界脆弱部１５ｃの直線状の部分の上側の端部から切り欠き７８まで、境界脆弱部１５ｃの直線部分の延長線上に延びている。カード部１１の左側の辺と下側の辺は、カード台紙７の左側の端部と下側の端部を形成している。カード部１１の周縁部のうち、右側の辺は境界脆弱部１５ｃのミシン目によって形成され、上側の辺は境界脆弱部１５ｄのミシン目によって形成されている。カード台紙７の右側の端部と下側の端部と、分離補助脆弱部７６と、境界脆弱部１５ｃとによって囲まれる部分は、切り離し予定部７２ａである。台紙本体部７２と切り離し予定部７２ａは残部の一例である。
【００７１】
カード部１１の周縁部を形成する上側の境界脆弱部１５ｄの直線状の部分の延長上には破断非容易部１７ｄが配置され、境界脆弱部１５ｃの直線状の部分の延長上には破断非容易部１７ｆが配置されている。
【００７２】
使用者がカード部１１をカード台紙７から分離する時には、まず、切り欠き７８に指を入れて、分離補助脆弱部７６と境界脆弱部１５ｃにおいてカード台紙７を折り曲げ、分離補助脆弱部７６と境界脆弱部１５ｃを破断させ、切り離し予定部７２ａを台紙本体部７２から分離する。続けて境界脆弱部１５ｄにおいてカード台紙５を折り曲げて境界脆弱部１５ｄを破断させて、カード部１１を台紙本体部７２から分離する。
【００７３】
カード台紙７のその他の構成と効果はカード台紙１と同様である。
【００７４】
（第８実施形態）
図１４に示すように、第８実施形態のカード台紙８は、第１実施形態のカード台紙１とは、主にカード部１１の配置が異なる。
【００７５】
カード台紙８のカード部１１の下側の辺は、カード台紙８の下側の端部を形成している。カード部１１の周縁部のうち、左側の辺は境界脆弱部１５ｂのミシン目によって形成され、右側の辺は境界脆弱部１５ｃのミシン目によって形成され、上側の辺は境界脆弱部１５ｄのミシン目によって形成されている。
【００７６】
境界脆弱部１５ｂの直線部分の上端から上方向に分離補助脆弱部１６ｃの辺のうち上下方向に延びる辺がミシン目によって形成され、この辺の上端から左側に向かって、カード台紙８の左端まで分離補助脆弱部１６ｃの辺のうち左右方向に延びる辺がミシン目によって形成されている。また、境界脆弱部１５ｄのミシン目の部分の上端から上方向に分離補助脆弱部１６ｄの辺のうち上下方向に延びる辺がミシン目によって形成され、この辺の上端から右側に向かって、カード台紙８の右端まで分離補助脆弱部１６ｄの辺のうち左右方向に延びる辺がミシン目によって形成されている。
【００７７】
カード台紙８の左側の端部と下側の端部と、分離補助脆弱部１６ｃと、境界脆弱部１５ｂとによって囲まれる部分は、切り離し予定部８２ａである。カード台紙８の右側の端部と下側の端部と、分離補助脆弱部１６ｄと、境界脆弱部１５ｃとによって囲まれる部分は、切り離し予定部８２ｂである。台紙本体部１２と切り離し予定部８２ａ，８２ｂは残部の一例である。
【００７８】
カード部１１の周縁部を形成する上側の境界脆弱部１５ｄの直線状の部分の延長上には破断非容易部１７ｃ，１７ｄが配置され、境界脆弱部１５ｂの直線状の部分の延長上には破断非容易部１７ｅが配置され、境界脆弱部１５ｃの直線状の部分の延長上には破断非容易部１７ｆが配置されている。
【００７９】
使用者がカード部１１をカード台紙８から分離する時には、まず、境界脆弱部１５ｂと分離補助脆弱部１６ｃにおいてカード台紙８を折り曲げ、境界脆弱部１５ｂと分離補助脆弱部１６ｃとを破断させ、切り離し予定部８２ａを台紙本体部１２から分離する。次に、境界脆弱部１５ｃと分離補助脆弱部１６ｄにおいてカード台紙８を折り曲げ、境界脆弱部１５ｃと分離補助脆弱部１６ｄとを破断させ、切り離し予定部８２ｂを台紙本体部１２から分離する。最後に、境界脆弱部１５ｄにおいてカード台紙８を折り曲げ、境界脆弱部１５ｄを破断させて、カード部１１を台紙本体部１２から分離する。なお、切り離し予定部８２ａ，８２ｂは、台紙本体部１２から分離されてもよいし、分離されなくてもよい。
【００８０】
カード台紙８のその他の構成と効果はカード台紙１と同様である。
【００８１】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【００８２】
１，１ａ，１ｂ，１ｃ，１ｄ，１ｅ，１ｆ，２，３，４，５，６，７，８：カード台紙、１１：カード部、１２，５２，６２，７２：台紙本体部、１２ａ，１２ｂ，１２ｃ，５２ａ，６２ａ，７２ａ，８２ａ，８２ｂ：切り離し予定部、１５ａ，１５ｂ，１５ｃ，１５ｄ，１５ｈ，１５ｉ，１５ｍ，１５ｎ，１５ｐ，１５ｑ，１５ｒ，１５ｓ：境界脆弱部、１６ａ，１６ｂ，１６ｃ，１６ｄ，２６ａ，２６ｂ，２６ｃ，２６ｄ，３６ａ，３６ｂ，３６ｃ，３６ｄ，４６ａ，４６ｂ，４６ｃ，４６ｄ，５６ａ，５６ｂ，６６，７６，：分離補助脆弱部、１７ａ，１７ｂ，１７ｃ，１７ｄ，１７ｅ，１７ｆ，１７ｇ，１７ｈ：破断非容易部。
【図１】
2014014963.tif 000003
【図２】
2014014963.tif 000004
【図３】
2014014963.tif 000005
【図４】
2014014963.tif 000006
【図５】
2014014963.tif 000007
【図６】
2014014963.tif 000008
【図７】
2014014963.tif 000009
【図８】
2014014963.tif 000010
【図９】
2014014963.tif 000011
【図１０】
2014014963.tif 000012
【図１１】
2014014963.tif 000013
【図１２】
2014014963.tif 000014
【図１３】
2014014963.tif 000015
【図１４】
2014014963.tif 000016